(57)【要約】【課題】ロータリトレイに載置されるディスクの外径が大きくなった場合や、ロータリトレイの内周壁に接着剤がはみ出していた場合でも、ディスクを正常にチャッキングさせることができるディスクチェンジャを提供する。【解決手段】チャッキング動作時、ロータリトレイ２２０はターンテーブルがディスクのセンターホールへ入るまでに電気的停止位置で停止し、ターンテーブルがディスクのセンターホールに入った以降は、ロータリトレイ２２０は機械的停止位置で停止する。ロータリストッパ２６２は係合溝２２３へ挿入可能で軸線に対して先端がロータリトレイ２２０の回転方向側に所定位置ずれた非対称な尖形部２６２ａ１を一端に有するので、ロータリトレイ２２０が電気的停止位置で停止した後、ロータリトレイ２２０を機械的停止位置に導いて停止させることができ、ディスクを正常にチャッキングすることができる。【選択図】　　　図１０
0003099763.tif 000002
【実用新案登録請求の範囲】
【請求項１】
上面に支軸が立設され、キャビネット本体にて引き出し可能に設置されるスライドトレイと、ディスクが収容可能なディスク収容部を上面に複数備えると共に、径方向へくさび形状の傾斜面を有する係合溝を下面に備え、軸芯が前記支軸にて回転可能に支持される円盤状のロータリトレイと、一端が前記支軸の上端に組み付けられ、前記ディスク収容部に上方から対向可能な第一チャッキング部を他端側に備えるチャックアームと、前記ロータリトレイを回転駆動させる駆動ユニットと、前記ロータリトレイの回転位置を検出する位置検出センサと、前記ディスク収容部に下方から対向可能な第二チャッキング部および光ピックアップが搭載され、前記スライドトレイの下面にて前記第二チャッキング部および前記光ピックアップを前記ディスク収容部に対して進退可能なメカホルダーと、前記位置検出センサにて検出された所定の回転位置にて前記駆動ユニットによる前記ロータリトレイの回転駆動が停止されるとき、ロック機構におけるロータリストッパの尖形部を前記係合溝へ挿入させて前記ロータリトレイの回転を規制し、前記メカホルダーにおける第二チャッキング部および前記光ピックアップを前記ディスク収容部に向けて上昇させて前記第一チャッキング部と前記第二チャッキング部との間でディスクの回転軸を保持させるモーションギヤとを具備するディスクチェンジャ駆動機構を有するディスクチェンジャにおいて、ターンテーブルとしての前記第二チャッキング部がディスクのセンターホールへ入るまでに電気的に停止される位置である電気的停止位置と、ターンテーブルとしての前記第二チャッキング部が前記ディスクのセンターホールに入った以降は機械的に移行して停止される位置である機械的停止位置とが設けられ、前記ロータリトレイを前記機械的停止位置で停止させるためのロータリストッパを備えた前記ロック機構を設け、前記ロータリストッパは、前記係合溝へ挿入可能で軸線に対して先端が前記ロータリトレイの回転方向側に所定位置ずれた非対称な尖形部を一端に有することを特徴とするディスクチェンジャ。
【請求項２】
表面に複数のディスクを収容可能であると共に、回転軸から離れた位置に径方向へくさび形状の傾斜面を有する係合溝が形成された略円盤形状のロータリトレイを備えたディスクチェンジャ駆動機構を有するディスクチェンジャにおいて、前記ロータリトレイを回転させるためのターンテーブルがディスクのセンターホールへ入るまでに電気的に停止される位置である電気的停止位置と、前記ターンテーブルが前記ディスクのセンターホールに入った以降は機械的に移行して停止される位置である機械的停止位置とが設けられ、前記ロータリトレイを前記機械的停止位置で停止させるためのロータリストッパを備えたロック機構を設けたことを特徴とするディスクチェンジャ。
【請求項３】
前記ロータリストッパは、前記係合溝へ挿入可能で軸線に対して先端が前記ロータリトレイの回転方向側に所定位置ずれた非対称な尖形部を一端に有することを特徴とする請求項２に記載のディスクチェンジャ。
【請求項４】
前記ディスクチェンジャ駆動機構は、上面に支軸が立設され、キャビネット本体にて引き出し可能に設置されるスライドトレイと、ディスクが収容可能なディスク収容部を上面に複数備えると共に、径方向へくさび形状の傾斜面を有する係合溝を下面に備え、軸芯が前記支軸にて回転可能に支持される円盤状のロータリトレイと、一端が前記支軸の上端に組み付けられ、前記ディスク収容部に上方から対向可能な第一チャッキング部を他端側に備えるチャックアームと、前記ロータリトレイを回転駆動させる駆動ユニットと、前記ロータリトレイの回転位置を検出する位置検出センサと、前記ディスク収容部に下方から対向可能な第二チャッキング部および光ピックアップが搭載され、前記スライドトレイの下面にて前記第二チャッキング部および前記光ピックアップを前記ディスク収容部に対して進退可能なメカホルダーと、前記位置検出センサにて検出された所定の回転位置にて前記駆動ユニットによる前記ロータリトレイの回転駆動が停止されるとき、ロック機構におけるロータリストッパの尖形部を前記係合溝へ挿入させて前記ロータリトレイの回転を規制し、前記メカホルダーにおける第二チャッキング部および前記光ピックアップを前記ディスク収容部に向けて上昇させて前記第一チャッキング部と前記第二チャッキング部との間でディスクの回転軸を保持させるモーションギヤとを備えると共に、ターンテーブルとての前記第二チャッキング部がディスクのセンターホールへ入るまでに電気的に停止される位置である電気的停止位置と、ターンテーブルとしての前記第二チャッキング部が前記ディスクのセンターホールに入った以降は機械的に移行して停止される位置である機械的停止位置とが設けられ、前記ロータリトレイを前記機械的停止位置で停止させるためのロータリストッパを備えた前記ロック機構を設けたことを特徴とする請求項２に記載のディスクチェンジャ。
【考案の詳細な説明】
【０００１】
【考案の属する技術分野】
本考案は、複数のディスクを収容できるディスク再生装置に備えられ、複数のディスクが収容されたディスクトレイを所定位置まで回転させるディスクチェンジャに関する。
【０００２】
【従来の技術】
従来のディスクチェンジャでは、先端にて円弧状の回転規制片を上方へ突設したレバーが回転規制機構に備えられ、一方、回転軸を中心とした円弧上にて下方へ立設され、９０度の角度間隔をおいて切り欠きが開設された内周壁がロータリトレイの裏面に設けられている。このような構成のディスクチェンジャにおいて、ロータリトレイが所定の回転位置で停止すると、レバーの回転規制片を内周壁に干渉可能とし、ロータリトレイの回転を規制している。
【０００３】
例えば、特許文献１に記載の従来のディスクチェンジャは、上面に支軸が立設され、キャビネット本体にて引き出し可能に設置されるスライドトレイと、ディスクが収容可能なディスク収容部を上面に複数備えると共に、径方向へくさび形状の傾斜面を有する係合溝を下面に備え、軸芯が前記支軸にて回転可能に支持される円盤状のロータリトレイと、一端が前記支軸の上端に組み付けられ、前記ディスク収容部に上方から対向可能な第一チャッキング部を他端側に備えるチャックアームと、前記ロータリトレイを回転駆動させる駆動ユニットと、前記ロータリトレイの回転位置を検出する位置検出センサと、前記ディスク収容部に下方から対向可能な第二チャッキング部および光ピックアップが搭載され、前記スライドトレイの下面にて前記第二チャッキング部および前記光ピックアップを前記ディスク収容部に対して進退可能なメカホルダーと、前記係合溝へ挿入可能な尖形部を一端に有するロータリストッパを備えたロック機構とを具備している。
【０００４】
更に、この従来のディスクチェンジャは、前記位置検出センサにて検出された所定の回転位置にて前記駆動ユニットによる前記ロータリトレイの回転駆動が停止されるとき、前記ロック機構におけるロータリストッパの尖形部を前記係合溝へ挿入させて前記ロータリトレイの回転を規制し、前記メカホルダーにおける第二チャッキング部および前記光ピックアップを前記ディスク収容部に向けて上昇させて前記第一チャッキング部と前記第二チャッキング部との間でディスクの回転軸を保持させるモーションギヤとを具備している。
【０００５】
この構成によれば、前記ロータリトレイが所定の回転位置からずれて停止した場合であっても、前記ロータリストッパの軸部が前記係合溝に向けて移動し、前記尖形部が前記係合溝に挿入され、このとき、前記尖形部は、先端を挟んで形成される傾斜面が前記係合溝の傾斜面に沿って誘導されて奥部に挿入されるので、前記ロータリトレイの回転を規制することが可能となる。
【０００６】
【特許文献１】
特開２００２−２８８９２２号公報
【０００７】
【考案が解決しようとする課題】
しかしながら、この従来のディスクチェンジャでは次のような問題点がある。この問題点を図１３に基づいて説明する。図１３は、従来のディスクチェンジャにおいてメカホルダーが上昇してチャッキングを行った際の問題点を説明するための側面図である。即ち、図１３は、従来のディスクチェンジャにおいてメカホルダーが上昇してチャッキングを行った際にディスクが傾いてチャッキングできなかった状況を示す側面図である。
【０００８】
図１３において、２１０はスライドトレイ、２２０はロータリトレイ、２３０はチャックアーム、２３１は第一チャッキング部、２４１は第二チャッキング部、２４０はメカホルダー、２４０ａはリブ、２５１はカム溝、２５０はモーションギヤを示す。なお、これらの構成要素の位置関係については後述しているので、ここではその説明を省略する。
【０００９】
この構成において、ロータリトレイ２２０に載置されたディスク１の外径が大きくなった場合や、ロータリトレイ２２０の内周壁２に接着剤がはみ出していた場合、ディスク１の縁がロータリトレイ２２０の内周壁２に引っ掛かり、ディスク１が図１３に示すように傾いてロータリトレイ２２０に対してチャッキングできないという課題が生じる。
【００１０】
即ち、この従来のディスクチェンジャでは、ロータリトレイ２２０に載置されたディスク１の外径が大きくなった場合や、ロータリトレイ２２０の内周壁２に接着剤がはみ出していた場合、ディスク１の縁がロータリトレイ２２０の内周壁２に引っ掛かり、ディスク１が傾くことがあると言うことを考慮されておらず、ロータリトレイ２２０が所定の回転位置からずれて停止した場合でも、ロータリトレイ２２０の回転を規制するように構成されているだけであり、上記のような課題を解決できるものではない。
【００１１】
本考案は、上記のような課題を解決するためになされたもので、ロータリトレイが所定の回転位置からずれて停止した場合であっても、ロータリトレイの回転を確実に規制することができると共に、ロータリトレイに載置されるディスクの外径が大きくなった場合や、ロータリトレイの内周壁に接着剤がはみ出していた場合でも、ディスクを正常にチャッキングさせることができるディスクチェンジャを提供することを目的とする。
【００１２】
【課題を解決するための手段】
上記目的を達成するために、請求項１の考案は、上面に支軸が立設され、キャビネット本体にて引き出し可能に設置されるスライドトレイと、ディスクが収容可能なディスク収容部を上面に複数備えると共に、径方向へくさび形状の傾斜面を有する係合溝を下面に備え、軸芯が前記支軸にて回転可能に支持される円盤状のロータリトレイと、一端が前記支軸の上端に組み付けられ、前記ディスク収容部に上方から対向可能な第一チャッキング部を他端側に備えるチャックアームと、前記ロータリトレイを回転駆動させる駆動ユニットと、前記ロータリトレイの回転位置を検出する位置検出センサと、前記ディスク収容部に下方から対向可能な第二チャッキング部および光ピックアップが搭載され、前記スライドトレイの下面にて前記第二チャッキング部および前記光ピックアップを前記ディスク収容部に対して進退可能なメカホルダーと、前記位置検出センサにて検出された所定の回転位置にて前記駆動ユニットによる前記ロータリトレイの回転駆動が停止されるとき、ロック機構におけるロータリストッパの尖形部を前記係合溝へ挿入させて前記ロータリトレイの回転を規制し、前記メカホルダーにおける第二チャッキング部および前記光ピックアップを前記ディスク収容部に向けて上昇させて前記第一チャッキング部と前記第二チャッキング部との間でディスクの回転軸を保持させるモーションギヤとを具備するディスクチェンジャ駆動機構を有するディスクチェンジャにおいて、ターンテーブルとしての前記第二チャッキング部がディスクのセンターホールへ入るまでに電気的に停止される位置である電気的停止位置と、ターンテーブルとしての前記第二チャッキング部が前記ディスクのセンターホールに入った以降は機械的に移行して停止される位置である機械的停止位置とが設けられ、前記ロータリトレイを前記機械的停止位置で停止させるためのロータリストッパを備えた前記ロック機構を設け、前記ロータリストッパは、前記係合溝へ挿入可能で軸線に対して先端が前記ロータリトレイの回転方向側に所定位置ずれた非対称な尖形部を一端に有することを特徴とするディスクチェンジャを提供する。
【００１３】
この構成においては、スライドトレイがキャビネット本体にて引き出し可能に設置され、ディスク収容部を上面に複数備えたロータリトレイにおける軸芯がスライドトレイの上面に立設された支軸にて回転可能に支持される。また、ディスク収容部に上方から対向可能な第一チャッキング部を他端側に備えたチャックアームの一端が支軸の上端に組み付けられる。チャッキング動作時、モーションギヤは、位置検出センサにて検出された所定の回転位置にて駆動ユニットによるロータリトレイの回転駆動が停止されるとき、ロータリトレイの下面に設けられた係合溝に向け、ロータリストッパの尖形部を挿入させてロータリトレイの回転を規制する。そして、モーションギヤは、スライドトレイの下面にて、メカホルダーに搭載された第二チャッキング部および光ピックアップをディスク収容部に向けて上昇させ、第一チャッキング部と第二チャッキング部との間でディスクの回転軸を保持させる。
【００１４】
上述したように、チャッキング動作時、モーションギヤは、位置検出センサにて検出された所定の回転位置にて駆動ユニットによるロータリトレイの回転駆動が停止されるとき、ロータリトレイの下面に設けられた係合溝に向け、ロータリストッパの尖形部を挿入させてロータリトレイの回転を規制するが、特に、この場合、ロータリトレイは、位置検出センサにて検出された回転位置で停止する。即ち、ロータリトレイは、ターンテーブルがディスクのセンターホールへ入るまでに電気的に停止される位置である電気的停止位置で停止する。そして、ターンテーブルがディスクのセンターホールに入った以降は、ロータリトレイは機械的に移行して停止される位置である機械的停止位置で停止する。ロータリストッパは、係合溝へ挿入可能で軸線に対して先端がロータリトレイの回転方向側に所定位置ずれた非対称な尖形部を一端に有するので、ロータリトレイが電気的停止位置で停止した後、ロータリトレイを機械的停止位置に導いて停止させることができる。
【００１５】
したがって、この構成によれば、ロータリトレイが所定の回転位置からずれて停止した場合であっても、ロータリトレイの回転を確実に規制することができると共に、ロータリトレイに載置されるディスクの外径が大きくなった場合や、ロータリトレイの内周壁に接着剤がはみ出していた場合でも、ディスクを正常にチャッキングさせることができる。
【００１６】
請求項２の考案は、表面に複数のディスクを収容可能であると共に、回転軸から離れた位置に径方向へくさび形状の傾斜面を有する係合溝が形成された略円盤形状のロータリトレイを備えたディスクチェンジャ駆動機構を有するディスクチェンジャにおいて、前記ロータリトレイを回転させるためのターンテーブルがディスクのセンターホールへ入るまでに電気的に停止される位置である電気的停止位置と、前記ターンテーブルが前記ディスクのセンターホールに入った以降は機械的に移行して停止される位置である機械的停止位置とが設けられ、前記ロータリトレイを前記機械的停止位置で停止させるためのロータリストッパを備えたロック機構を設けたことを特徴とするディスクチェンジャを提供する。
【００１７】
この構成においては、ロータリトレイは、ターンテーブルがディスクのセンターホールへ入るまでに電気的に停止される位置である電気的停止位置で停止する。そして、ターンテーブルがディスクのセンターホールに入った以降は、ロータリトレイは機械的に移行して停止される位置である機械的停止位置で停止する。即ち、ロータリトレイが電気的停止位置で停止した後、ロータリトレイを機械的停止位置に導いて停止させることができる。
【００１８】
したがって、この構成によれば、ロータリトレイが所定の回転位置からずれて停止した場合であっても、ロータリトレイの回転を確実に規制することができると共に、ロータリトレイに載置されるディスクの外径が大きくなった場合や、ロータリトレイの内周壁に接着剤がはみ出していた場合でも、ディスクを正常にチャッキングさせることができる。
【００１９】
請求項３の考案では、前記ロータリストッパは、前記係合溝へ挿入可能で軸線に対して先端が前記ロータリトレイの回転方向側に所定位置ずれた非対称な尖形部を一端に有するので、ロータリトレイが電気的停止位置で停止した後、ロータリトレイを機械的停止位置に導いて停止させることができる。
【００２０】
請求項４の考案では、前記ディスクチェンジャ駆動機構は、上面に支軸が立設され、キャビネット本体にて引き出し可能に設置されるスライドトレイと、ディスクが収容可能なディスク収容部を上面に複数備えると共に、径方向へくさび形状の傾斜面を有する係合溝を下面に備え、軸芯が前記支軸にて回転可能に支持される円盤状のロータリトレイと、一端が前記支軸の上端に組み付けられ、前記ディスク収容部に上方から対向可能な第一チャッキング部を他端側に備えるチャックアームと、前記ロータリトレイを回転駆動させる駆動ユニットと、前記ロータリトレイの回転位置を検出する位置検出センサと、前記ディスク収容部に下方から対向可能なターンテーブルとしての第二チャッキング部および光ピックアップが搭載され、前記スライドトレイの下面にて前記第二チャッキング部および前記光ピックアップを前記ディスク収容部に対して進退可能なメカホルダーと、前記位置検出センサにて検出された所定の回転位置にて前記駆動ユニットによる前記ロータリトレイの回転駆動が停止されるとき、ロック機構におけるロータリストッパの尖形部を前記係合溝へ挿入させて前記ロータリトレイの回転を規制し、前記メカホルダーにおける第二チャッキング部および前記光ピックアップを前記ディスク収容部に向けて上昇させて前記第一チャッキング部と前記第二チャッキング部との間でディスクの回転軸を保持させるモーションギヤとを備えると共に、ターンテーブルとしての前記第二チャッキング部がディスクのセンターホールへ入るまでに電気的に停止される位置である電気的停止位置と、前記ターンテーブルとしての前記第二チャッキング部が前記ディスクのセンターホールに入った以降は機械的に移行して停止される位置である機械的停止位置とが設けられ、前記ロータリトレイを前記機械的停止位置で停止させるためのロータリストッパを備えた前記ロック機構を設けたものである。
【００２１】
この構成においては、特に、ロータリトレイは、位置検出センサにて検出された回転位置で停止する。即ち、ロータリトレイは、ターンテーブルがディスクのセンターホールへ入るまでに電気的に停止される位置である電気的停止位置で停止する。そして、ターンテーブルがディスクのセンターホールに入った以降は、ロータリトレイは機械的に移行して停止される位置である機械的停止位置で停止する。
【００２２】
したがって、この構成によれば、ロータリトレイが所定の回転位置からずれて停止した場合であっても、ロータリトレイの回転を確実に規制することができると共に、ロータリトレイに載置されるディスクの外径が大きくなった場合や、ロータリトレイの内周壁に接着剤がはみ出していた場合でも、ディスクを正常にチャッキングさせることができる。
【００２３】
【考案の実施の形態】
以下、添付図面を参照しつつ、本考案の実施の形態について説明する。図１は本考案の一実施形態に係るＤＶＤ再生装置の外観を示す斜視図である。図１において、矩形筐型のキャビネット１００には、ディスクチェンジャ２００が収容される。このディスクチェンジャ２００は、矩形板状のスライドトレイ２１０を備え、このスライドトレイ２１０の上面には、円盤状のロータリトレイ２２０が回転可能に支持され、ロータリトレイ２２０の上面における所定位置には、チャックアーム２３０が取り付けられる。
【００２４】
また、スライドトレイ２１０の下面には、図示しない光ピックアップなどを搭載させたメカホルダー、ロータリトレイ２２０を回転駆動させる駆動ユニット、ロータリトレイ２２０の回転位置を検出する位置検出センサ、ロータリトレイ２２０の回転を規制するロック機構などが組み付けられる。さらに、キャビネット１００の内側底部には、シールド構造を介して制御基板が収容される。
【００２５】
図２はディスクチェンジャ２００の主要構成を示す分解斜視図である。図２において、スライドトレイ２１０は、前面パネルへ引き出し可能に、キャビネット１００の内部にて前後方向へスライド可能に設置され、上面には、円形状の凹部２１１が設けられる。スライドトレイ２１０の中央には、支軸２１２が鉛直上方へ立設されており、上面にて周方向へ等間隔に五箇所のディスク収容部２２１を備えたロータリトレイ２２０の軸孔２２２に支軸２１２を挿入し、スライドトレイ２１０の凹部２１１にてロータリトレイ２２０を回転可能に支持する。
【００２６】
また、支軸２１２の上端には、チャックアーム２３０の一端が組み付けられ、チャックアーム２３０の他端側に設けられた第一チャッキング部２３１をスライドトレイ２１０に形成された貫通孔２１３に対向可能とする。一方、この貫通孔２１３の下方には、第一チャッキング部２３１との間にディスクの回転軸を挟み込み可能な第二チャッキング部２４１やディスクから記録データの読み出しを行う光ピックアップなどを搭載したメカホルダー２４０が組み付けられている。
【００２７】
メカホルダー２４０は、第二チャッキング部２４１および光ピックアップを貫通孔２１３に対して昇降可能に組み付けられており、このメカホルダー２４０の昇降タイミングを制御するモーションギヤ２５０がメカホルダー２４０に隣接させつつ、スライドトレイ２１０の下面に取り付けられる。また、モーションギヤ２５０は、メカホルダー２４０の昇降タイミング制御だけでなく、ロック機構２６０の作動タイミング制御も行っており、このモーションギヤ２５０に隣接させつつ、ロック機構２６０を構成するストップレバー２６１、ロータリストッパ２６２およびストッパスプリング２６３がスライドトレイ２１０の下面に組み付けられる。モーションギヤ２５０による前記タイミング制御を行う際の基準とされるロータリトレイ２２０の回転位置を検出する位置検出センサ２７０が、スライドトレイ２１０の下面に取り付けられる。
【００２８】
図３は、位置検出センサ２７０がロータリトレイ２２０の回転位置を検出する際の状況を示す斜視図である。図３に示すように、ロータリトレイ２２０の全周縁には、下方へ遮蔽壁２２０ａが形成されており、所定の間隔で切り欠き２２０ｂが設けられている。また、位置検出センサ２７０では、遮蔽壁２２０ａの内側におけるロータリトレイ２２０との対向位置にＬＥＤ２７１が配置され、遮蔽壁２２０ａを介した外側にフォトセンサ２７２が配置される。
【００２９】
このような構成により、ＬＥＤ２７１は常時フォトセンサ２７２に向けて発光を行う。したがって、ＬＥＤ２７１とフォトセンサ２７２との間に遮蔽壁２２０ａが介在される間は、フォトセンサ２７２にて発光が行われず、ＬＥＤ２７１とフォトセンサ２７２との間に切り欠き２２０ｂが介在されるタイミングのみで受光が行われる。このため、位置検出センサ２７０では、フォトセンサ２７２における受光の有無を検知することで、ロータリトレイ２２０の回転位置の検出が行われる。
【００３０】
図４はモーションギヤ２５０の周壁面に設けられたカム溝の主要構成を示す展開図である。モーションギヤ２５０（図２参照）の周壁面には、スライドトレイ２１０（図２参照）に近接する側にメカホルダー２４０（図２参照）を昇降させるためのカム溝２５１が設けられ、スライドトレイ２１０から離間する側にロック機構２６０（図２参照）を作動させるためのカム溝２５２が設けられる。なおこのカム溝２５２は、図４に示すように、終端に周壁面から延設される傾斜面２５２ａを有している。また、モーションギヤ２５０はディスクのチャッキングを行う際、図２において時計方向へ回転するため、図４においては時間の経過と共に左側から右側へ作用するカム溝２５２を変化させていく。
【００３１】
したがって、チャッキング時、ロック機構２６０を作動させてロータリトレイ２２０をロックして位置決めさせた後、メカホルダー２４０をスライドトレイ２１０の側へ上昇させていく。また、反対に、ディスク交換時、メカホルダー２４０をスライドトレイ２１０から離間する側へ降下させた後、ロック機構２６０を初期状態に戻してロータリトレイ２２０の回転を許容させる。
【００３２】
このため、ロータリトレイ２２０の回転が規制され、チャックアーム２３０およびメカホルダー２４０に対向するディスクの回転軸が位置決めされた状態で、チャッキング動作が実行されることになり、ディスクを所定の位置で確実に保持することが可能になる。
【００３３】
図５はロック機構２６０の主要構成を示す斜視図である。図５において、ストップレバー２６１では、軸心が鉛直方向へ配向された円筒部２６１ａの一端側外壁からは、水平方向へ帯状のアーム部２６１ｂが延設され、円筒部２６１ａの中央付近における外壁からは、アーム部２６１ｂと離間する側へ水平方向にリブ２６１ｃが延設される。この円筒部２６１ａは、スライドトレイ２１０の下面に回転可能に取り付けられ、リブ２６１ｃは、図４に示すモーションギヤのカム溝２５２に挿入される。
【００３４】
アーム部２６１ｂの先端側には、円筒部２６１ａを中心とした円周上に円弧状の誘導溝２６１ｂ１が形成され、この誘導溝２６１ｂ１には、誘導ピン２６４が挿入され、誘導ピン２６４の上端がスライドトレイ２１０の下面に固定される。このため、ストップレバー２６１が回転する際、アーム部２６１ｂは、誘導ピン２６４により誘導範囲が規制される。
【００３５】
また、アーム部２６１ｂの中央付近には、長さ方向へ幅広な長孔２６１ｂ２が設けられ、この長孔２６１ｂ２には、ロータリストッパ２６２が組み付けられる。ロータリストッパ２６２は、水平方向へ配向されつつ長さ方向へ進退可能に配置される本体部２６２ａを備え、この本体部２６２ａの一端側から鉛直下方へ延設される円柱状の軸部２６２ｂが長孔２６１ｂ２に挿入される。
【００３６】
本体部２６２ａの他端には、本体部２６２ａの先端が尖った尖形部２６２ａ１が設けられており、軸部２６２ｂの下端外壁には、本体部２６２ａと離間する側へストッパスプリング２６３の取付部２６２ｃが延設される。特に、尖形部２６２ａ１の形状は、本体部２６２ａの軸線に対して非対称になっており、尖形部２６２ａ１の先端は所定位置だけロータリトレイ２２０の回転方向側に位置する。
【００３７】
取付部２６２ｃには、ストッパスプリング２６３の一端が取り付けられ、ストッパスプリング２６３の他端は、ロータリストッパ２６２を取付部２６２ｃの側へ付勢させるように、スライドトレイ２１０の下面に取り付けられる。このとき、ストッパスプリング２６３は、アーム部２６１ｂを図５における紙面手前側へ付勢する。
【００３８】
一方、ロータリトレイ２２０の下面には、図６に示すように、周方向へ等間隔で五箇所に係合溝２２３が設けられており、各係合溝２２３は、ロータリトレイ２２０の半径方向に対してくさび形状の傾斜面を有する。そして、ロータリストッパ２６２の尖形部２６２ａ１は、各係合溝２２３に対向可能な位置に配置される。詳しくは、図７に示すように、尖形部２６２ａ１の先端は、ターンテーブルとしての前記第二チャッキング部２４１（図１１参照）がディスク１の中心孔に入る前は、係合溝２２３の中心に対してずれた位置に停止する。即ち、電気的停止位置では、尖形部２６２ａ１の先端は、係合溝２２３に中心に対してロータリトレイ２２０の回転方向側に所定位置だけずれた位置に対向して停止する。
【００３９】
また、図７に示すように、リブ２６１ｃがカム溝２５２に挿入されている間、尖形部２６２ａ１は、ストッパスプリング２６３により、係合溝２２３から離間する側へ付勢され、係合溝２２３から離間した状態で維持される。モーションギヤ２５０が時計方向へ回転する際、リブ２６１ｃが傾斜面２５２ａに乗り上げ、リブ２６１ｃがモーションギヤ２５０の周壁面に誘導され始めると、図８に示すように、リブ２６１ｃがモーションギヤ２５０の回転軸から離間する方向へ押圧されるため、ストップレバー２６１が反時計方向へ回転する。
【００４０】
これにより、ロータリストッパ２６２の軸部２６２ｂ（図５参照）がアーム部２６１ｂと共に反時計方向へ変位し、尖形部２６２ａ１が係合溝２２３に挿入され、ロータリトレイ２２０の回転が規制され、位置決めが行われる。ここで、ロータリトレイ２２０が電気的停止位置で停止すると、即ちロータリトレイ２２０の回転が所定位置よりも手前で停止すると、ロータリストッパ２６２の尖形部２６２ａ１は、係合溝２２３に対して図９に示すような位置関係になり、この状態から図１０に示すように、尖形部２６２ａ１は係合溝２２３に嵌め込まれ、これにより、ロータリトレイ２２０を所定位置（機械的停止位置）に停止させることができる。
【００４１】
このような動作は、ロータリストッパ２６２の尖形部２６２ａ１では、先端に向けて非対称の傾斜面が形成されているため、図９に示すように、ロータリトレイ２２０が電気的停止位置で停止しても、尖形部２６２ａ１の一方の傾斜面が係合溝２２３の一方壁面に沿ってスライドし、図１０に示すように、尖形部２６２ａ１が係合溝２２３に嵌め込まれる。
【００４２】
図１１はメカホルダーが上昇する前の状態を示す側面図である。図１２はメカホルダーが上昇してチャッキングを行った際の状態を示す側面図である。図１１および図１２に示すように、略矩形筐状のメカホルダー２４０の一端は、スライドトレイ２１０の下面に枢支されており、他端から略水平方向へ突設されたリブ２４０ａがモーションギヤ２５０のカム溝２５１に挿入される。カム溝２５１は、図４に示すように、スライドトレイ２１０と離間する第一水平部２５１ａから傾斜部２５１ｂを介してスライドトレイ２１０と近接する第二水平部２５１ｃへ連通されており、リブ２４０ａはチャッキングを行う際、同図における右側から左側へ誘導される。
【００４３】
このような構成により、チャッキング時、図１１に示すように、リブ２４０ａが第一水平部２５１ａを誘導される間、メカホルダー２４０全体が傾斜し、第二チャッキング部２４１および光ピックアップが貫通孔２１３から離間した状態となる。そして、リブ２４０ａが傾斜部２５１ｂを誘導されてスライドトレイ２１０と近接する方向へ移動する間、メカホルダー２４０全体は、同図に示す矢印のような水平状態へと近づいていく。リブ２４０ａが第二水平部２５１ｃに達すると、図１２に示すように、メカホルダー２４０全体は、水平状態となり、第二チャッキング部２４１が位置決めされたロータリトレイ２２０に収容されるディスクの回転軸を第一チャッキング部２３１に対して押圧しつつ保持する。
【００４４】
そして、メカホルダー２４０に搭載された図示しないスピンドルモータにより第二チャッキング部２４１が回転駆動されることにより、ディスクが回転駆動され、光ピックアップによるディスクからの記録データの読み出しが実行される。
【００４５】
このように、アーム部２６１ｂが反時計方向へ変位すると、ロータリストッパ２６２の軸部２６２ｂ（図５参照）が係合溝２２３に向けて移動するため、尖形部２６２ａ１が係合溝２２３に挿入される。このとき、尖形部２６２ａ１は、先端を挟んで形成される非対称の傾斜面が係合溝２２３の傾斜面に沿って誘導されて奥部に挿入される。したがって、ロータリトレイ２２０が所定の回転位置からずれて停止した場合であっても、ロータリトレイ２２０の回転を確実に規制することが可能となる。
【００４６】
また、図１３に示すように、ロータリトレイ２２０に載置されたディスク１の外径が大きくなった場合や、ロータリトレイ２２０の内周壁２に接着剤がはみ出していた場合、ディスク１の縁がロータリトレイ２２０の内周壁２に引っ掛かり、ディスク１が図１３に示すように傾いてロータリトレイ２２０に対してチャッキングできなくなるということがない。
【００４７】
この理由は、ロータリトレイ２２０が、所定の停止位置よりも例えば０．８５ｍｍだけ反回転方向側にずれて停止しても、ロータリストッパ２６２の尖形部２６２ａ１の特徴とする形状（図１０参照）により、０．８５ｍｍだけ回転方向側にずれた機械的停止位置で停止するため、ロータリトレイ２２０の内周壁２とディスク１の縁との間に適度な隙間があき、これにより、ロータリトレイ２２０に載置されたディスク１の外径が大きくなった場合や、ロータリトレイ２２０の内周壁２に接着剤がはみ出していた場合でも、ディスク１の縁がロータリトレイ２２０の内周壁２に引っ掛かからず、ディスク１を図１２に示すようにロータリトレイ２２０に対して正常にチャッキングすることができる。
【００４８】
【考案の効果】
以上のように本考案によれば、ターンテーブルがディスクのセンターホールへ入るまでに電気的に停止される位置である電気的停止位置と、前記ターンテーブルが前記ディスクのセンターホールに入った以降は機械的に移行して停止される位置である機械的停止位置とが設けられ、前記ロータリトレイを前記機械的停止位置で停止させるためのロータリストッパを備えたロック機構を設け、前記ロータリストッパは、前記係合溝へ挿入可能で軸線に対して先端が前記ロータリトレイの回転方向側に所定位置ずれた非対称な尖形部を一端に有するので、ロータリトレイが所定の回転位置からずれて停止した場合であっても、ロータリトレイの回転を確実に規制することができると共に、ロータリトレイに載置されるディスクの外径が大きくなった場合や、ロータリトレイの内周壁に接着剤がはみ出していた場合でも、ディスクを正常にチャッキングさせることができる。
【００４９】
また、本考案によれば、ロータリトレイを回転させるためのターンテーブルがディスクのセンターホールへ入るまでに電気的に停止される位置である電気的停止位置と、前記ターンテーブルが前記ディスクのセンターホールに入った以降は機械的に移行して停止される位置である機械的停止位置とが設けられ、前記ロータリトレイを停止させるためのロータリストッパを備えたロック機構を設けたので、ロータリトレイが所定の回転位置からずれて停止した場合であっても、ロータリトレイの回転を確実に規制することができると共に、ロータリトレイに載置されるディスクの外径が大きくなった場合や、ロータリトレイの内周壁に接着剤がはみ出していた場合でも、ディスクを正常にチャッキングさせることができる。
【図面の簡単な説明】
【図１】本考案の一実施形態に係るＤＶＤ再生装置の外観を示す斜視図である。
【図２】前記ＤＶＤ再生装置に備えられるディスクチェンジャの主要構成を示す分解斜視図である。
【図３】前記ディスクチェンジャにおいて位置検出センサがロータリトレイの回転位置を検出する際の状況を示す斜視図である。
【図４】前記ディスクチェンジャにおいてモーションギヤの周壁面に設けられたカム溝の主要構成を示す展開図である。
【図５】前記ディスクチェンジャにおいてロック機構の主要構成を示す斜視図である。
【図６】前記ディスクチェンジャにおいてロータリトレイの下面構成を示す平面図である。
【図７】前記ディスクチェンジャにおいて非ロック時の状況を示す平面図である。
【図８】前記ディスクチェンジャにおいてロック時の状況を示す平面図である。
【図９】前記ディスクチェンジャにおいて係合溝が電気的停止位置で停止した際の状況を示す平面図である。
【図１０】前記ディスクチェンジャにおいて係合溝が機械的停止位置で停止した際の状況を示す平面図である。
【図１１】前記ディスクチェンジャにおいてメカホルダーが上昇する前の状況を示す側面図である。
【図１２】前記ディスクチェンジャにおいてメカホルダーが上昇してチャッキングを行った際の状況を示す側面図である。
【図１３】従来のディスクチェンジャにおいてメカホルダーが上昇してチャッキングを行った際にディスクが傾いてチャッキングできなかった状況を示す側面図である。
【符号の説明】
１　　ディスク
１００　　キャビネット
２００　　ディスクチェンジャ
２１０　　スライドトレイ
２２０　　ロータリトレイ
２２１　　ディスク収容部
２２３　　係合溝
２３０　　チャックアーム
２３１　　第一チャッキング部
２４０　　メカホルダー
２５０　　モーションギヤ
２６０　　ロック機構
２６２　　ロータリストッパ
２６２ａ１　　尖形部
【図１】
0003099763.tif 000003
【図２】
0003099763.tif 000004
【図３】
0003099763.tif 000005
【図４】
0003099763.tif 000006
【図５】
0003099763.tif 000007
【図６】
0003099763.tif 000008
【図７】
0003099763.tif 000009
【図８】
0003099763.tif 000010
【図９】
0003099763.tif 000011
【図１０】
0003099763.tif 000012
【図１１】
0003099763.tif 000013
【図１２】
0003099763.tif 000014
【図１３】
0003099763.tif 000015